(57)【要約】      （修正有）【課題】携帯型通信機に着脱可能にカウンターポイズを設けることができるカウンターポイズ接続アダプタを提供する。【解決手段】携帯型通信機本体の空中線用の接栓座と、空中線に設けられる当該接栓座に着脱可能な接栓との間に設けられる、一端に係合部を有するカウンターポイズを接続するカウンターポイズ接続アダプタとして、前記接栓座に着脱できる接栓Ｘａと、前記接栓に着脱できると接栓座Ｘｂと、前記接栓と、前記接栓座との間に設けられる前記カウンターポイズの係合部に係合する被係合部４１を有するカウンターポイズ保持部Ｘｃとを設け、接続される前記空中線及び前記カウンターポイズと前記携帯通信機本体とを電気的に接続するよう構成する。【選択図】図２
0003198310.tif 000002
【実用新案登録請求の範囲】
【請求項１】
携帯型通信機本体の空中線用の接栓座と、空中線に設けられる当該接栓座に着脱可能な接栓との間に設けられる、一端に係合部を有するカウンターポイズを接続するカウンターポイズ接続アダプタであって、
前記接栓座に着脱できる接栓と、
前記接栓に着脱できると接栓座と、
前記接栓と、前記接栓座との間に設けられる前記カウンターポイズの係合部に係合する被係合部を有するカウンターポイズ保持部とを有し、
接続される前記空中線及び前記カウンターポイズと前記携帯通信機本体とを電気的に接続する
カウンターポイズ接続アダプタ。
【請求項２】
前記カウンターポイズ保持部は、前記空中線の接栓の接続方向に沿った中心軸に対して回転可能に固定されるものである請求項１に記載のカウンターポイズ接続アダプタ。
【請求項３】
前記カウンターポイズ保持部は前記被係合部を前記空中線の接栓の接続方向に沿った中心軸に対して異なる回転方向に向けて２以上設けられるものである請求項１又は２に記載のカウンターポイズ接続アダプタ。
【考案の詳細な説明】
【技術分野】
【０００１】
本考案は、携帯型通信機にカウンターポイズを接続するためのアダプタに関する。
【背景技術】
【０００２】
携帯型通信機において、VHF帯等でよく使われる電流給電型空中線は通信機本体に直接空中線を取り付ける構造が一般的であり、空中線、通信機本体(手で持った場合は人体を含む)が一体となって空中線を構成する。しかし、携帯型通信機の小型化が進むことにより、接地容量が不足し、空中線本来の性能が得られない状態となっている場合が多い。
【考案の概要】
【考案が解決しようとする課題】
【０００３】
このような携帯型通信機の小型化に伴い、空中線本体の性能を十分に生かせないという問題に対応する方法として、固定用空中線等でよく用いられるカウンターポイズを設置することが考えられる。しかしながら、カウンターポイズは一般的に長い線状体で、携帯用通信機では携帯性が損なわれるので、携帯型通信機に長いカウンターポイズを設けることは行われてこなかった。一方で、カウンターポイズは巻くと簡易に携帯できるので、必要に応じて携帯型通信機に着脱できるようにすれば、携帯性を損なわず、必要に応じてカウンターポイズを利用することが可能になると考えられる。
本考案は、このような観点から、携帯型通信機に着脱可能にカウンターポイズを設けることができるアダプタを提供することを課題とする。
【課題を解決するための手段】
【０００４】
上記課題を解決するために、本考案は、次のような構成を有する。
請求項１に記載の考案は、携帯型通信機本体の空中線用の接栓座と、空中線に設けられる当該接栓座に着脱可能な接栓との間に設けられる、一端に係合部を有するカウンターポイズを接続するカウンターポイズ接続アダプタであって、前記接栓座に着脱できる接栓と、前記接栓に着脱できると接栓座と、前記接栓と、前記接栓座との間に設けられる前記カウンターポイズの係合部に係合する被係合部を有するカウンターポイズ保持部とを有し、接続される前記空中線及び前記カウンターポイズと前記携帯通信機本体とを電気的に接続するものである。
請求項２に記載の考案は、前記カウンターポイズ接続アダプタにおいて、前記カウンターポイズ保持部は、前記空中線の接栓の接続方向に沿った中心軸に対して回転可能に固定されるものである。
請求項３に記載の考案は、前記カウンターポイズ接続アダプタにおいて、前記カウンターポイズ保持部は前記被係合部を前記空中線の接栓の接続方向に沿った中心軸に対して異なる回転方向に向けて２以上設けられるものである。
【考案の効果】
【０００５】
以上のような構成により、本考案は、次のような効果を奏する。
請求項１に記載の考案は、多くの携帯型通信機は通信機本体と空中線とは接栓座と接栓とで着脱可能に形成されているので、後付けで本カウンターポイズ接続アダプタを固定することができ、これによって、所定の係合部を有するカウンターポイズを必要なときに接続して使用することが可能となる。また、カウンターポイズにより、携帯型通信機が受発信する高周波電流が人体に流れるのを減らし、人体への影響を少なくする事ができるとともに、人体が空中線に与える影響が少なくなり総合的に空中線系の性能を向上させることができる。また、運搬時にはカウンターポイズを外して丸めて小さくすることで携帯性を維持することができる。
請求項２に記載の考案は、カウンターポイズの空中線の方向を中心軸とする回転角度を調節することで最も良好な位置にカウンターポイズを位置づけることが可能となる。
請求項３に記載の考案は、空中線の方向を中心軸とする回転方向に関する取付方向を選択することでより良好な位置にカウンターポイズを位置づけること可能となる。また、複数のカウンターポイズを設ければ、さらなる空中線系の性能向上に資することができる。
【図面の簡単な説明】
【０００６】
【図１】実施形態に係るカウンターポイズ接続アダプタを示す斜視図である。
【図２】実施形態に係るカウンターポイズ接続アダプタの縦断面図である。
【図３】実施形態に係るカウンターポイズ接続アダプタを携帯型通信機に固定する状態を示す分解斜視図である。
【図４】実施形態に係るカウンターポイズ接続アダプタを携帯型通信機に固定した状態を示す斜視図である。
【図５】変形例に係るカウンターポイズ接続アダプタを示す斜視図である。
【図６】携帯型通信機のアンテナの変形例を表すカウンターポイズ接続アダプタを携帯型通信機に固定した状態を示す斜視図である。
【考案を実施するための形態】
【０００７】
以下、本考案の実施の形態について、図面を参照しながら説明する。
図１に本実施形態に係るカウンターポイズ接続アダプタＸの斜視図を示し、図２にカウンターポイズ接続アダプタＸの縦断面図を示す。カウンターポイズ接続アダプタＸは、下部ナット部材１０、上部ナット部材２０、芯部材３０、リング部材４０を有する。
下部ナット部材１０は、中心軸を貫通する雌ネジ１１が形成された導電性を有する円筒体である。雌ネジ１１は、装着する携帯型通信機の空中線を装着する接栓座の外周に形成された雄ネジに係合する径を有している。また、下部ナット部材１０の上端側一定範囲の外周は下端側よりも外径が小さい小径部１２が形成されている。
上部ナット部材２０は、中心軸を貫通する前記下部ナット部材１０の雌ネジ１１と同じ径を有する雌ネジ２１が形成された導電性を有する偏平な円筒体である。上部ナット部材２０の下端側一定範囲の外周は前記下部ナット部材１０の小径部１２と同じ外径を有する、上端側よりも外径が小さい小径部２２が形成されている。
【０００８】
芯部材３０は導電性の筒体３１内に非導電性の筒体３３が嵌め入れられ、筒体３３の中央の穴に導電性の棒体３４が嵌め入れられた形状を有する。最外周を構成する筒体３１の外周には、前記下部ナット部材１０の雌ネジ１１、前記上部ナット部材２０の雌ネジ２１に係合する雄ネジ３１ａが形成されている。なお、雄ネジ３１ａの径は装着する携帯型通信機の空中線を装着する接線座の外周に形成された雄ネジと一致する。筒体３１の所定位置にはフランジ状の突起３１ｂが突出している。棒体３４の上端は、装着する空中線の接栓中央に突出する針体が嵌る穴３４ａが形成され、下端には空中線の接栓中央に突出する針体と同じ形状を有する針体３４ｂが形成されている。
リング部材４０は導電性の円板状体であり中央に前記下部ナット部材１０の小径部１２及び上部ナット部材２０の小径部２２の外径にほぼ合致する孔４２が形成されている。リング部材４０の側面には後述するカウンターポイズの係合部を構成する雄ネジに係合する雌ネジからなるカウンターポイズ被係合部４１が形成されている。リング部材４０はカウンターポイズ保持部Ｘcを構成する。
【０００９】
カウンターポイズ接続アダプタＸは以上のような構成部材を組み立てて形成されるものである。まず、下部ナット部材１０の雌ネジ１１に上から芯部材３０の下端外周の雄ネジ３１ａを、装着する携帯型通信機の空中線用の接栓座の高さと同じ高さの雌ネジ１１が残るように係合させる。これによって、カウンターポイズ接続アダプタＸの下端には、装着する携帯型通信機の空中線用の接栓座に係合できる接栓Ｘaが形成されることとなる。次に、下部ナット部材１０の小径部１２に導電性の波型座金１３を挟んでリング部材４０の孔４２を嵌め入れ、この上に導電性の波型座金２３を乗せて、上から上部ナット部材２０の雌ネジ２１を芯部材３０の雄ネジ３１ａに係合させて、上部ナット部材２０の小径部２２がリング部材４０の孔４２に嵌るように固定する。この状態で、リング部材４０は波型座金１３、２３を介して下部ナット部材１０と上部ナット部材２０との間に回転可能に固定されることとなる。なお、芯部材３０の突起３１ｂは、下部ナット部材１０と上部ナット部材２０との間に挟まれることとなり、リング部材４０は回転しても波型座金１３、２３との接触を維持でき、波型座金１３、２３に接触する下部ナット部材１０と上部ナット部材２０を介して芯部材３０の筒体３１と常に電気的に接続された状態を保持することができる。この状態で、芯部材３０の上部ナット部材２０上面から突出する部分は、装着する空中線の接栓を構成する雌ネジと同じ高さになるように設定されている。これにより、カウンターポイズ接続アダプタＸの上端には、装着する空中線の接栓に係合できる接栓座Ｘbが形成されることとなる。
【００１０】
次に、以上のような構成を有するカウンターポイズ接続アダプタＸの使用方法について説明する。使用に際しては、まず、装着する携帯型通信機から空中線を取り外し、図３の分解斜視図に示すように、携帯型通信機Ｔの接栓座Ｔｃに、カウンターポイズ接続アダプタＸの下部ナット部材１０の雌ネジ１１を係合させ、空中線Ａの接栓Ａｃに、カウンターポイズ接続アダプタＸの芯部材３０の雄ネジ３１ａを係合させる。なお、空中線Ａは、携帯型通信機用の一般的な電流供給型の空中線である。そして、リング部材４０のカウンターポイズ被係合部４１にカウンターポイズＣを装着する。カウンターポイズＣは波長の１／４の長さを有する柔軟なステンレス製ワイヤーで、一端側に導電性を有するカウンターポイズ被係合部４１に係合する雄ネジからなる係合部Ｃcが設けられている。この係合部Ｃcをカウンターポイズ被係合部４１に係合させることで、カウンターポイズＣをカウンターポイズ接続アダプタＸに固定する。カウンターポイズＣを接続すると図４の斜視図に示すような状態となる。この状態で、空中線Ａと携帯型通信機Ｔとは互いに直接接続された状態と同じ接続状態を確保でき、カウンターポイズＣも携帯型通信機Ｔと電気的に接続された状態となる。カウンターポイズＣは図に示すように下方に垂れ下がるので使用に際してさほど邪魔になることはない。そして、この状態で、リング部材４０を回転させることで、受信感度が最も良くなる回転位置を探すことができる。また、移動時などカウンテーポイズＣを使用しないときは、図４の状態からカウンターポイズＣのみを取り外し、カウンターポイズＣを丸めて持ち運べば、邪魔にならず、また、必要に応じていつでも装着して使用することが可能となる。
このように、本実施形態に係るカウンターポイズ接続アダプタＸは、携帯型通信機Ｔに必要に応じてカウンターポイズＣを装着することで携帯型通信機Ｔの空中線の性能向上に資することができ、収納運搬時にはカウンターポイズＣを取り外すことで携帯性を確保することができる。また、複数の長さのカウンターポイズを用意し、これらを適宜交換することで空中線系の見かけ上の共振周波数を変えることも可能となる。
【００１１】
なお、上記実施形態ではリング部材４０を回転させることでカウンターポイズＣを最適な方向に位置づけることを可能としているが、図５に示すカウンターポイズ接続アダプタＹのように、カウンターポイズ被係合部４１を周面に沿って全周に設けることで、カウンターポイズＣを最適な方向に位置づけることが可能な構造としてもよい。このような構造とすることで、下部ナット部材１０、上部ナット部材２０、リング部材４０を一体にできるので部品点数を減らすことができる。もっとも、実施形態に示すリング部材４０において複数のカウンターポイズ被係合部４１を周面に沿って設けるようにしてもよい。カウンターポイズ被係合部４１を複数設けることで、回転位置の選択のみならず、複数のカウンターポイズを接続できるので、さらなる空中線系の性能を高めることができる。
また、図６に示すように空中線Ａを電気長１／４λの空中線とすると、カウンターポイズＣを接続することで、１／２λダイポールアンテナと近似した動作を実現でき、性能の向上が期待できる。
それから、上記実施形態では、カウンターポイズＣの係合部Ｃcを雄ネジとし、カウンターポイズ被係合部４１を雌ネジとしているが、一方をピン状のピンプラグ、他方をこれを受けるソケットにする等、任意のコネクタ形式を採用することができる。
【符号の説明】
【００１２】
Ｘ、Ｙ  カウンターポイズ接続アダプタ
Ｔ  携帯型通信機
Ｔc  空中線用接栓座
Ａ  空中線
Ａc  空中線接栓
Ｃ  カウンターポイズ
Ｃc  係合部
Ｘa  接栓
Ｘb  接栓座
Ｘc  カウンターポイズ保持部
１０  下部ナット部材
１１  雌ネジ
１２  小径部
１３  波型座金
２０  上部ナット部材
２１  雌ネジ
２２  小径部
２３  波型座金
３０  芯部材
３１ａ  雄ネジ
４０  リング部材
４１  カウンターポイズ被係合部
【図１】
0003198310.tif 000003
【図２】
0003198310.tif 000004
【図３】
0003198310.tif 000005
【図４】
0003198310.tif 000006
【図５】
0003198310.tif 000007
【図６】
0003198310.tif 000008